(57)【要約】【課題】  地震に備えたベッドの防災策は必要である。天井や棚からの落下物に対して、構造的および作用手段を確かなものであることが最大の課題である。  但し、部屋に作り付けや重装備となって、配置換えが出来ないのは困る。【解決手段】  フレーム（１）に遮蔽版（２）を取り付けた二組の天板（Ａ）と（Ｂ）を屈折して接合（選択図は９０度）し、天板（Ｂ）を立てて天板（Ａ）がベッドの庇になるように構成する。  地震により天井から家材や家財が落ちてくると天板（Ａ）で落下物を受ける。  その結果、落下物の衝撃や重量により天板（Ａ，Ｂ）は天板（Ｂ）の一辺でもある回転軸（４）によって受け座（９）まで傾斜し、ベッド枠（５）との間に天板（Ａ，Ｂ）の屈折した角度が成らしめる避難空間を形成する。【選択図】図１
2019141541.tif 000002
【特許請求の範囲】
【請求項１】
天板（Ａ，Ｂ）が落下物の衝撃または重量を受けて傾斜または下降し、天板（Ａ、Ｂ）と床面との間に避難空間が形成されることを特徴とする防災ベッド。
【請求項２】
マットピース（２０）を敷いてマットを構成し、その床面側から操作して所定のマットピース（２０）を外し、ベッド下に設けてある物入れ（１９）の出し入れが出来ることを特徴とする防災ベッド。
【発明の詳細な説明】
【技術分野】
【０００１】  本発明は地震などにより天井や棚から落下する家材や家財を遮蔽して、身の安全を図るベッドの防災設備に関するものである。
以降の説明では、家材や家財が落下する状況を‘平時’に対して‘災害時’と記載する。
【背景技術】
【０００２】  今日、大規模な災害時を想定した防災策として、ベッド全体を覆う構造物が商品化されている。
一例の商品（非特許文献１）は木材の枠組み構造で、見るからに頑丈な構成となっている。
もう一つの商品（非特許文献２）はアーチ状の金属フレーム構造で、先例に比べると重装備感は軽減しているように思う。但し、２階への設置は不可とある。
アイデアの面においては、多くの特徴ある提案がされている。
それらを作用手段の面から考察すると、就寝前に手動で作用させるもの（特許文献１、２、３）と、センサー検知で自動的に作用するもの（特許文献４、５）がある。
特に、特許文献３と５の作用後における形態は本発明と類似しているが、解決する手段は本発明と異なっている。
【先行技術文献】
【特許文献】
【０００３】
【特許文献１】特開２００８−０４８９５７
【特許文献２】特開２００７−０９７９０１
【特許文献３】特開２００６−５１２９９
【特許文献４】特開２００４−８７５７
【特許文献５】特開平８−２１４９９６（段落番号１４、３４、図１１）
【非特許文献】
【０００４】
【非特許文献１】「耐震ベッド」、新光産業（株）、ホームページ広告
【非特許文献２】「防災ベッド」、（株）ニッケン鋼業、ホームページ広告
【発明の概要】
【発明が解決しようとする課題】
【０００５】  防災策は必要である。予想外の事態から起こり得る落下物に対して、構造的および作用手段を確かなものにして身の安全を図ることが最大の課題である。
前記の非特許文献で提示した商品は、設置場所の制約などから導入へ踏み切れないのが実情であろう。
平時のベッドは、色々な理由によって配置換えすることが多々ある。故に課題として、この要望にも応えなければならない。
更には、設置する部屋の雰囲気を壊さないために重装備感を抑えた配慮も必要であると考えられる。
前記の特許文献においても、満足できる提案は見つけられなかった。
【課題を解決するための手段】
【０００６】  本発明の全体構成を図１に示す。
格子状のフレーム（１）に遮蔽版（２）を取り付けた二組の天板（Ａ）と（Ｂ）を屈折して接合（本図は９０度）し、スティフナー（３）で補強する。
天板（Ｂ）のフレーム一辺は回転軸（４）を兼ねており、ベッド枠（５）とヒンジ（６）構造で組み付ける。
回転軸（４）の両端には偏芯フック（７）があり、ベッド枠（５）とバネａ（８）で接続している。
この接続方法によって、天板（Ａ）はベッド枠（５）を覆う庇のような状態に保持される。
何故なら、本状態の時に偏芯フック（７）のバネａ（８）を接続する位置が回転軸（４）の水平軸心より下方にあるため、バネａ（８）の張力が天板（Ｂ）を起こす方向へ働いているからである。
図２は、本発明が作用した形態を示す。
災害時、天板（Ａ）が落下物を受けると、屈折構造の天板（Ａ，Ｂ）はバネａ（８）の張力に打ち勝って受け座（９）まで傾斜し、ベッド枠（５）の床面上に避難空間を形成する。
天板（Ａ，Ｂ）が傾斜を始める落下物の衝撃または重量の閾値は、バネａ（８）の張力設定にて調整する。
傾斜した天板（Ａ，Ｂ）を再び起こす力を働かせるか否かは、偏芯フック（７）にあるバネａ（８）の接続位置によって決まる。
本図は天板（Ａ，Ｂ）の傾斜によって、その接続位置が偏芯フック（７）の水平軸心より上方に変位したことを表しており、起こす力は働かない。変位した位置が水平軸心の下方であれば、天板（Ａ，Ｂ）には自然と起きる力が働く。
平時に天板（Ａ，Ｂ）が傾斜した形態で就寝したい場合は、取手（１０）を引っ張る。
【発明の効果】
【０００７】  センサーが地震を検知して防災策は正常に作用した。しかし、落下物は無かった。一方、センサーが検知しなかったので防災策は作用しなかったが、落下物が有って被災した。
前者は何ら問題にならない。しかし後者は、このような事態が起こり得ることを認識すべきである。
例えば、センサーの故障、飛行機部品の飛来などが挙げられる。
本発明は事態の如何に関わらず、落下物が有って当たれば働く。この点が、本発明の特徴である。
【図面の簡単な説明】
【０００８】
【図１】  本発明の全体構成図である。
【図２】  本発明が作用した後の形態である。
【図３】  ベッドと分離した構成の実施例である。
【図４】  高床式ベッドに適用した実施例である。
【図５】  耐震壁を利用した実施例である。
【図６】  天板が下降して作用する構成の実施例である。
【図７】  ベッド下に設けてある物入れの出し入れが床面から出来るようにした実施例である。
【発明を実施するための形態】
【実施例】
【０００９】  図３は、ベッド枠（５）とベッドを分離した実施例である。
ベッド商品の自由な選定や、配置換えをする場合の便宜を図っている。
更に、ヒンジ（６）と受け座（９）の高さ（図中のＨ１とＨ２）を高くすれば、避難空間を拡げることが出来る。
ベッドへ出入りする際、天板（Ａ）の外枠へ頭をぶつけることが想定されれば、天板（Ａ）の高さは身長より少し高い位置となるようにＨ１とＨ２を設定する。
図４は、高床式ベッドに適用した実施例である。避難空間の拡大に寄与すると共に、天板（Ａ、Ｂ）損壊時の備えになる。
本図はベッドの床板（１１）が、ハンドル（１２）の手動操作よって底抜けするように開くことを示している。ベッド下へ落ちた後に床板（１１）を閉じると、床板は天板（Ａ，Ｂ）の備えとなる。
手動操作でなく、傾斜する天板（Ａ、Ｂ）の変位を利用して自動化することは可能である。
図５は、ベッドの位置が耐震壁側にあって配置換えの無い場合、天板（Ｂ）のみで避難空間を形成する実施例である。
ヒンジ（６）は、耐震壁に取り付ける。
平時は天板（Ｂ）をロープ（１３）で耐震壁と繋ぎ、ベッド枠（５）の庇のように支える。
災害時、落下物の衝撃や重量でロープ（１３）が破断して、天板（Ｂ）が傾斜し避難空間を形成する。
図６は、天板（Ａ、Ｂ）が下降して避難空間を形成する構成の実施例である。
天板（Ａ）と天板（Ｂ）は、軸（１４）を介して蝶番構造で連結している。
軸（１４）の両端は軸受け構造、その内側には軸（１４）と一体になった隔壁板（１５）が設けてある。
隔壁板（１５）にはバネｂ（１６）があり、天板（Ａ）と天板（Ｂ）を押し上げて水平に保持する。
軸（１４）は両端を支柱（１７）へ通して、上下に摺動する。即ち、天板（Ａ，Ｂ）が上下する。
下降した時の停止位置は、支柱（１７）の中間に設けているストッパー（１８）の高さで決まる。
二本の支柱（１７）の間は、上端からロープ（１３）を渡して軸（１４）を吊るす。吊るす高さが、平時における天板（Ａ，Ｂ）の保持位置となる。
災害時、落下物の衝撃や重量でロープ（１３）が破断して天板（Ａ，Ｂ）が下降し、隔壁板（１５）がストッパー（１８）に達して避難空間を形成する。
この時の天板（Ａ，Ｂ）は、板上に乗っかった落下物がバネｂ（１６）を圧縮する負荷であれば切妻形状になる。
本図は天板（Ａ，Ｂ）の保持にロープ（１３）を使っているが、使わない方法も従来技術で可能である。
図７は、避難空間からベッド下に設けてある物入れの出し入れを可能にした実施例である。
現在、ベッド下に引き出し式の物入れ（１９）を設けた商品が市販されている。
本発明を適用するに当たり、これを防災備品の収納庫として使用することを提案する。
しかし、引き出し式では災害時に出し入れが出来ない事が想定される。
その解決策として、ベッド床面側から出し入れが出来るように図る。
その手段が、マットを分割することである。分割したマットを本文では説明の都合上、マットピース（２０）と称する。
従って、マットはマットピース（２０）を敷き並べて構成される。
災害時、避難空間の中で所定のマットピース（１９）を外し、そこから物入れ（２０）にアクセスして必要な備品を取り出す。
尚、従来のマットに所定箇所のみマットピース（２０）を施した場合も、本発明の範疇である。
【産業上の利用可能性】
【００１０】  二つの利用可能性が考えられる。
その一つは、文化財保護の分野である。
これまでは、保護する対象がベッド上の人であった。ここで人を貴重な美術工芸品などに置き換えてみる。
陶器や歴史資料などの据え置き型の文化財は、図１のベッドを置台と考えて応用する。絵画や掛け軸などは、図５の構成からベッドを省いて応用する。
二つ目は図７の実施例から想定される可能性で、ベッドの防災に限らず他の領域おいて付加価値向上になると思われる点からの推察である。
マットピース（２０）を敷き並べてマットを構成する手段は、成長に沿ったベッドのサイズ調整、マットの部分補修などへの商品対応が可能となる。
【符号の説明】
【００１１】    １  フレーム
２  遮蔽版
３  スティフナー
４  回転軸
５  ベッド枠
６  ヒンジ
７  偏芯フック
８  バネａ
９  受け座
１０  取手
１１  床板
１２  ハンドル
１３  ロープ
１４  軸
１５  隔壁板
１６  バネｂ
１７  支柱
１８  ストッパー
１９  物入れ
２０  マットピース
【図１】
2019141541.tif 000003
【図２】
2019141541.tif 000004
【図３】
2019141541.tif 000005
【図４】
2019141541.tif 000006
【図５】
2019141541.tif 000007
【図６】
2019141541.tif 000008
【図７】
2019141541.tif 000009